(57)【特許請求の範囲】
【請求項１】
弁体（１）の動作を操作する操作部と、
弁体（１）を開閉させる開閉機構と、
操作部と開閉機構を接続する、中空の筒状体であるアウターチューブ（２ａ）、該アウターチューブ（２ａ）内を摺動自在に進退動作するインナーワイヤ（２ｂ）、から成るレリースワイヤ（２）と、を備え、
アウターチューブ（２ａ）と、開閉機構との接続部分もしくは操作部との接続部分のいずれか一方、又は両方に、アウターチューブ（２ａ）内を介して両端同士の通気を行う為の通気部（３）を設けた遠隔操作式排水栓装置において、
前記通気部（３）を、開閉機構もしくは操作部との当接面に、接続時に生じる隙間がアウターチューブ（２ａ）内に連通するようにして設けた凹凸部（３ａ）にて構成したことを特徴とする遠隔操作式排水栓装置。
【請求項２】
上記請求項１に記載の遠隔操作式排水栓装置において、アウターチューブ（２ａ）の操作部側に通気部（３）を設けると共に、アウターチューブ（２ａ）の開閉機構側の端部に、開閉機構と水密的に当接させ、且つ開閉機構の内部の通気を行う為のリング状パッキン（Ｐ）を配置して構成したことを特徴とする遠隔操作式排水栓装置のレリースワイヤ。
【請求項３】
弁体（１）の動作を操作する操作部と、
弁体（１）を開閉させる開閉機構と、
操作部と開閉機構を接続する、中空の筒状体であるアウターチューブ（２ａ）、該アウターチューブ（２ａ）内を摺動自在に進退動作するインナーワイヤ（２ｂ）、から成るレリースワイヤ（２）と、を備え、
アウターチューブ（２ａ）と、開閉機構との接続部分もしくは操作部との接続部分のいずれか一方、又は両方に、アウターチューブ（２ａ）内を介して両端同士の通気を行う為の通気部（３）を設けた遠隔操作式排水栓装置において、
前記開閉機構を遠隔操作式排水栓装置に固定する固定部材（４）の着脱を制限する封印機構を備えたことを特徴とする遠隔操作式排水栓装置。
【請求項４】
請求項３に記載の遠隔操作式排水栓装置において、封印機構を、固定部材（４）に貼付される封印シール（５）によって構成されたことを特徴とする遠隔操作式排水栓装置。
【請求項５】
請求項４に記載の遠隔操作式排水栓装置において、封印シール（５）を、剥離を行った際に剥離を実施したことが確認できる素材にて構成されて成ることを特徴とする遠隔操作式排水栓装置。
【請求項６】
請求項４又は請求項５に記載の遠隔操作式排水栓装置において、封印シール（５）に、商品の生産ロットを管理するロット番号を付与したことを特徴とする遠隔操作式排水栓装置。
【発明の詳細な説明】
【０００１】
【発明の属する技術分野】
本発明は浴槽や洗面台などの底部に装設された、排水口を備えた排水栓装置に関し、更に詳しくは、遠隔操作により排水栓の開閉を行う遠隔操作式排水栓装置の改良に関する。
【０００２】
【従来の技術】
従来よく知られた遠隔操作式排水栓装置としては、図１０に示したようなものがある。以下に図１０に示した従来例の遠隔操作式排水栓装置を、図面を参照しつつ説明する。
図１０に図示した従来例の遠隔操作式排水栓装置は、以下に記載した排水栓、弁体、開閉機構としてのスラストロック部材、水密部材としての蛇腹状パッキン、レリースワイヤ、操作部としての操作スイッチ、その他の各部材より構成されて成る。
排水栓は、内部に排水口を形成する略円筒形状であって、その上縁外周側にフランジ部を、また外周面に雄螺子をそれぞれ設けてなる。
弁体は、上記排水口を開閉する弁部と、該弁部の中心より下方に向けて垂下された弁軸より成る。
スラストロック部材は、図１２及び図１３に示したように、後端への押し込み操作毎に、先端部が突出した状態で固定／固定を解除して先端部が後退、を繰り返す軸部を備えて成り、遠隔操作式排水栓装置の施工完了時には、先端部が蛇腹状パッキンを介して弁体の弁軸下端に、後端部がレリースワイヤのロッド部の先端に、それぞれ当接するように配置される。
操作スイッチは、上記レリースワイヤに接続され、上記レリースワイヤのインナーワイヤの進退を行うことで、排水口の開閉操作を行うものである。
レリースワイヤは、可撓性を備えた中空のアウターチューブと、該アウターチューブ内を軸方向に摺動自在に進退するインナーワイヤと、インナーワイヤの一端に備えられ、上記弁体の弁軸下方に配置されるロッド部と、後述する操作スイッチ側にインナーワイヤを付勢する戻りスプリングを備えてなる。
また、その他の部材として、排水栓に接続され、配管によって排水を下水側に排出する排水エルボと、該エルボ部材に、スラストロック部材、蛇腹部材、レリースワイヤを固定する為の固定部材と、排水栓を排水機器に設けられた取着孔に固定する為の板ナット、三角パッキン等を備えて成る。
【０００３】
上記のように構成した遠隔操作式排水栓装置は、以下のようにして洗面台等に設けられた取着孔に取着される。
あらかじめ工場にて、レリースワイヤの一方、ロッド部側の端部を、スラストロック部材の後端に当接させ、蛇腹状パッキンをスラストロック部材の先端部に被冠させた上で、排水エルボに固定部材を用いて取り付け固定を行う。次に施工現場にて、取着孔と三角パッキンを介して排水栓を板ナットと螺合させ、取着孔に取り付け固定する。その後、排水エルボを排水栓に取り付け固定し、更に排水口に弁体を、弁軸下端が蛇腹状パッキンを介してスラストロック部材の軸部先端に当接するようにして配置し、レリースワイヤのロッド部を備えない側を操作スイッチに接続して、遠隔操作式排水栓装置の施工が完了する。
【０００４】
上記のように構成した遠隔操作式排水栓装置を使用する場合、まず操作スイッチに操作を加えて、図１０にあるように弁体が排水口を閉口した状態、即ちスラストロック部材の軸部が下方に後退した状態とする。この状態より操作スイッチに操作を加えて、インナーワイヤを介し、スラストロック部材の後端に押し込み操作を加えると、スラストロック部材の軸部が、上方（前方）に突出した状態で固定される。これによって、弁軸下端が押し上げられ、弁体が上昇し、排水口が開口する。
この状態より再度操作スイッチに操作を加えて、インナーワイヤを介し、スラストロック部材の後端に押し込み操作を加えると、スラストロック部材の軸部の固定が解除され、スラストロック部材の軸部が下方（後方）に降下する為、弁体が下降し、排水口が弁部により閉口される。以後、同様の操作を繰り返すことで排水口の開口／閉口を自在に操作することができる。
【０００５】
【発明が解決しようとする課題】
上記のような遠隔操作式排水栓装置においては、当然ながら、排水口からの排水が流れる部分（以後、「排水流路」と呼ぶ）から、外部へ漏水が生じないような工夫を行う必要がある。上記の従来例においては、開閉機構からの漏水を防止し、水密性を保つ為に、蛇腹状パッキンを用いて排水流路と開閉機構であるスラストロック部材とを隔離すると同時に、これらスラストロック部材や蛇腹状パッキンを確実に固定しその水密性や機能性が損なわれないようにするために、後方（下方）からスラストロック部材を被冠するようにして固定部材が取り付けられている。
ところで、このような場合には、固定部材とエルボ部材との接続箇所等から多少の通気はあるものの、通気目的で接続箇所に大きな隙間を設けることは各部材の固定を不安定にするため極力避けねばならず、このため、開閉機構を含む空間は、水密部材と固定部材によってほぼ密閉状態となる。ところが、可動箇所である開閉機構を含む空間を、このように水密部材と固定部材とで密閉すると、開閉機構を作動させた際に、空気の圧力によって各部材の動作が妨げられることがある。例えば上記従来例の場合、排水口が開口した状態、即ちスラストロック部材の軸部が上昇した状態から、操作スイッチに操作を加えて軸部を下降させても、固定部材内部は密閉状態のため、水密部材と固定部材の間の空間の空気が通気先を失い、図１１で示したように、空気圧によって蛇腹状パッキンが容易に縮退せず、弁体の降下が鈍くなって、排水口の開閉操作に支障が生じるといった問題がある。
【０００６】
また、上記のような遠隔操作式排水栓装置の開閉機構部分は、水密性能や動作性能を保つために、その組立等に正確性・精密性が要求される部分であって、その組立には多少とも組立に付いて教育・訓練を受けた作業者が行う必要がある。このため通常は工場で訓練を受けた作業員が組み立て作業を行い、開閉機構等の可動部分や水密性が必要な部分を完全な状態に組み立てて、工場などよりの出荷以後は固定部材の着脱の必要が無いようにして出荷するが、上記のような理由で作動不良が生じた際に、施工業者や使用者が状態を確認するために、固定部材を遠隔操作式排水栓装置ボから取り外してしまうことがある。このような場合、再度固定部材を取り付ける者は、ほとんどの場合、組立に付いて教育・訓練を受けていない施工業者や使用者であるから、部材等に対する知識・訓練の不足から、各部材の組立の正確性・精密性が損なわれ、漏水や致命的な作動不良を生じる原因となっていた。
本発明は上記問題点に鑑み考案されたもので、開閉機構を含む空間が密閉となって排水口の開閉動作に支障が生じることが無いレリースワイヤと、それを用いた遠隔操作式排水栓装置において固定部材が他の部材から着脱されることがないようにすることを目的とするものである。
【０００７】
【課題を解決するための手段】
請求項１に記載の遠隔操作式排水栓装置は、弁体（１）の動作を操作する操作部と、弁体（１）を開閉させる開閉機構と、操作部と開閉機構を接続する、中空の筒状体であるアウターチューブ（２ａ）、該アウターチューブ（２ａ）内を摺動自在に進退動作するインナーワイヤ（２ｂ）、から成るレリースワイヤ（２）と、を備え、アウターチューブ（２ａ）と、開閉機構との接続部分もしくは操作部との接続部分のいずれか一方、又は両方に、アウターチューブ（２ａ）内を介して両端同士の通気を行う為の通気部（３）を設けた遠隔操作式排水栓装置において、前記通気部（３）を、開閉機構もしくは操作部との当接面に、接続時に生じる隙間がアウターチューブ（２ａ）内に連通するようにして設けた凹凸部（３ａ）にて構成したことを特徴とする遠隔操作式排水栓装置である。
【０００８】
請求項２に記載の遠隔操作式排水栓装置は、上記段落０００７に記載の遠隔操作式排水栓装置において、アウターチューブ（２ａ）の操作部側に通気部（３）を設けると共に、アウターチューブ（２ａ）の開閉機構側の端部に、開閉機構と水密的に当接させ、且つ開閉機構の内部の通気を行う為のリング状パッキン（Ｐ）を配置して構成したことを特徴とする遠隔操作式排水栓装置のレリースワイヤである。
【０００９】
請求項３に記載の遠隔操作式排水栓装置は、弁体（１）の動作を操作する操作部と、弁体（１）を開閉させる開閉機構と、操作部と開閉機構を接続する、中空の筒状体であるアウターチューブ（２ａ）、該アウターチューブ（２ａ）内を摺動自在に進退動作するインナーワイヤ（２ｂ）、から成るレリースワイヤ（２）と、を備え、アウターチューブ（２ａ）と、開閉機構との接続部分もしくは操作部との接続部分のいずれか一方、又は両方に、アウターチューブ（２ａ）内を介して両端同士の通気を行う為の通気部（３）を設けた遠隔操作式排水栓装置において、前記開閉機構を遠隔操作式排水栓装置に固定する固定部材（４）の着脱を制限する封印機構を備えたことを特徴とする遠隔操作式排水栓装置である。
【００１０】
請求項４に記載の遠隔操作式排水栓装置は、前記段落０００９に記載の遠隔操作式排水栓装置において、封印機構を、固定部材（４）に貼付される封印シール（５）によって構成されたことを特徴とする遠隔操作式排水栓装置である。
【００１１】
請求項５に記載の遠隔操作式排水栓装置は、前記段落００１０に記載の遠隔操作式排水栓装置において、封印シール（５）を、剥離を行った際に剥離を実施したことが確認できる素材にて構成されて成ることを特徴とする遠隔操作式排水栓装置である。
【００１２】
請求項６に記載の遠隔操作式排水栓装置は、前記段落００１０又は段落００１１に記載の遠隔操作式排水栓装置において、封印シール（５）に、商品の生産ロットを管理するロット番号を付与したことを特徴とする遠隔操作式排水栓装置である。
【００１４】
【発明の実施の形態】
本発明の実施例を、図面を参照しつつ説明する。
図１乃至図５に図示した、本発明の第一実施例による遠隔操作式排水栓装置は、以下に記載した排水栓（８）、弁体（１）、開閉機構としてのスラストロック部材（１１）、水密部材としての蛇腹状パッキン（１４）、レリースワイヤ（２）、操作部としての操作スイッチ（１５）、固定部材（４）の着脱を防止するための封印シール（５）、その他の各部材より構成されて成る。
排水栓（８）は、内部に排水口（９）を形成する略円筒形状であって、その上縁外周側にフランジ部（１０）を、また外周面に雄螺子をそれぞれ設けてなる。
弁体（１）は、上記排水口（９）を開閉する弁部（６）と、該弁部（６）の中心より下方に向けて垂下された弁軸（７）より成る。
スラストロック部材（１１）は、図１２及び図１３に示した従来例と同様に、後端への押し込み操作毎に、先端が突出した状態で固定／固定を解除して先端が後退、を繰り返す軸部（１１ａ）を備えて成り、遠隔操作式排水栓装置の施工時には、軸部（１１ａ）の先端が蛇腹状パッキン（１４）を介して弁体（１）の弁軸（７）下端に、後端がレリースワイヤ（２）のロッド部（１２）の先端に、それぞれ向かうように配置される。
レリースワイヤ（２）は、可撓性を備えた中空のアウターチューブ（２ａ）と、該アウターチューブ（２ａ）内を軸方向に摺動自在に進退するインナーワイヤ（２ｂ）と、インナーワイヤ（２ｂ）の一端に備えられ、上記弁体（１）の弁軸（７）下方に配置されるロッド部（１２）と、操作スイッチ（１５）側にインナーワイヤ（２ｂ）を付勢する戻りスプリング（１３）を備えてなる。更に、アウターチューブ（２ｂ）の両端部、開閉機構であるスラストロック部材（１１）の後端に当接する部分と、操作スイッチ（１５）に当接する部分に、図６及び図７に示した斜視図のように、通気部（３）として凹凸部（３ａ）を設けてなる。
操作スイッチ（１５）は、上記レリースワイヤ（２）に接続され、上記レリースワイヤ（２）のインナーワイヤ（２ｂ）の進退を行うことで、排水口（９）の開閉操作を行うものである。
封印シール（５）は横幅が２センチメートル、縦幅が６センチメートル程度の大きさのシールであって、表面に固定部材（４）の着脱の禁止を示した文面を表記すると共に、貼付後に剥がすとその一部が貼付箇所に残るため、剥離があったことが明確となる。またその表面には、着脱の禁止を示した文面以外に、その商品のロットを管理するためのロットナンバーが記載されている。
また、その他の部材として、排水栓（８）に接続され、排水を下水側に排出する排水エルボ（１６）と、該エルボ部材（１６）に、スラストロック部材（１１）、蛇腹状パッキン（１４）、レリースワイヤ（２）を固定するための固定部材（４）と、排水栓（８）を排水機器に設けられた取着孔に固定するための、三角パッキン及び排水栓（８）の雄螺子に螺合する板ナット（１７）等を備えて成る。
【００１５】
上記のように構成した遠隔操作式排水栓装置は、以下のようにして洗面台等に設けられた取着孔に取着される。
あらかじめ工場にて、レリースワイヤ（２）の一方、ロッド部（１２）側の端部を、スラストロック部材（１１）の後端に当接させ、蛇腹状パッキン（１４）をスラストロック部材（１１）の先端部に被冠させた上で、排水エルボ（１６）に固定部材（４）を用いて取り付け固定を行う。更に排水エルボ（１６）と固定部材（４）とに跨るようにして、封印シール（５）を貼付する。次に施工現場にて、取着孔と三角パッキン（Ｄ）を介して排水栓（８）を板ナット（１７）と螺合させ、取着孔に取り付け固定する。その後、レリースワイヤ（２）の他方の端部を操作スイッチ（１５）に接続し、また排水エルボ（１６）を排水栓（８）に取り付け固定し、更に排水口（９）に弁体（１）を、弁軸（７）下端が蛇腹状パッキン（１４）を介してスラストロック部材（１１）の軸部（１１ａ）上方になるようにして配置し、遠隔操作式排水栓装置の施工が完了する。
【００１６】
上記のように構成した遠隔操作式排水栓装置は、上記段落０００４に記載した従来例と同様の操作を行うことで、操作スイッチ（１５）から自在に排水口（９）を開閉することができる。また、この際において、アウターチューブ（２ａ）の両端に設けた凹凸部（３ａ）から成る通気部（３）によって、水密部材と固定部材（４）との間にある空気はアウターチューブ（２）内を自在に通気できるから、段落０００５で記載したような水密部材である蛇腹状パッキン（１４）が縮退しない等の問題が生じることもない。
【００１７】
次に本発明の第二実施例を、図面を参照しつつ説明する。
本発明の第二実施例による遠隔操作式排水栓装置は、図９に示したレリースワイヤ（２）以外は段落００１４に記載した第一実施例と同様の部材を採用して成る。
本発明の第二実施例に用いられるレリースワイヤ（２）は、可撓性を備えた中空のアウターチューブ（２ａ）と、該アウターチューブ（２ａ）内を軸方向に摺動自在に進退するインナーワイヤ（２ｂ）と、インナーワイヤ（２ｂ）の一端に備えられ、上記弁体（１）の弁軸（７）下方に配置されるロッド部（１２）と、後述する操作スイッチ（１５）側にインナーワイヤ（２ｂ）を付勢する戻りスプリング（１３）を備えてなる。更に、アウターチューブ（２ａ）の操作スイッチ（１５）に当接する部分に、図９に示したように、凹凸部（３ａ）を設けてなり、他方、開閉機構であるスラストロック部材（１１）の後端には水密的に当接を行うためのリング状パッキン（Ｐ）を備えて成るレリースワイヤ（２）を採用して成る。
【００１８】
上記のように構成した遠隔操作式排水栓装置は、段落００１５に記載した第一実施例と同様の方法にて施工を行うことができ、段落０００４に記載した従来例と同様の方法で排水口（９）の開閉操作を行うことができる。また、上記のような第二実施例においては、レリースワイヤ（２）のアウターチューブ（２ａ）の、ロッド部（１２）側には水密性を守るためのリング状パッキン（Ｐ）を、操作スイッチ（１５）側の端部には通気用の凹凸部（３ａ）を、それぞれ設けたため、スラストロック部材（１１）の作動時に、固定部材（４）内、特に水密部材内の空気は、スラストロック部材（１１）の中を通り抜け、アウターチューブ（２ａ）内から操作スイッチ（１５）側に通気することができる。
【００１９】
【発明の効果】
本発明は上記のように構成したため、以下のような優れた効果を奏する。
１）請求項１乃至請求項２による本発明においては、レリースワイヤのアウターチューブ端部に凹凸部等からなる通気部を設け、開閉部材とアウターチューブとの当接面、もしくは操作スイッチとアウターチューブとの当接面に構築される通気部によってアウターチューブ内を通して通気が行われるため、固定部材内部の、可動部分を含む空間が密閉されることがないから、固定部材内の空気の圧力によって弁体の昇降が鈍って、排水口の開閉操作に支障が生じるといった問題が解消された。
２）請求項３乃至請求項４による本発明においては、工場内での組み立てによって、正確性・精密性が確保されている状態の製品に、固定部材に封印シール等の着脱防止部材を用い、固定部材の着脱を防止してなるため、施工者や使用者によって固定部材が脱着され、結果として遠隔操作式排水栓装置の機能が損なわれるということを防止することができる。
３）請求項５に記載の本発明においては、封印シールを、剥離を行った際に剥離を実施したことが確認できる素材にて構成したため、封印シールの確認が一目で確認することができる。
４）請求項６に記載の本発明においては、工場内にて貼付される封印シールにロットナンバーを施したことで商品の品質管理に付いても貢献することができる。
【図面の簡単な説明】
【図１】本発明の第一実施例の閉口状態を示す、スラストロック部材以外を切り欠きした断面図である。
【図２】本発明の第一実施例の開口状態を示す、スラストロック部材以外を切り欠きした断面図である。
【図３】本発明の第一実施例の開口状態における、スラストロック部材周辺を示す断面図である。
【図４】本発明の第一実施例の斜視図である。
【図５】本発明の第一実施例の、部材構成を示す斜視図である。
【図６】本発明の第一実施例におけるスラストロック部材及びレリースワイヤを示す斜視図である。
【図７】本発明の第一実施例におけるスラストロック部材及びレリースワイヤの接続状態を示す、ほぼ側面方向からの斜視図である
【図８】本発明の、凹凸部の形状が第一実施例と異なる実施例のレリースワイヤを示す斜視図である。
【図９】本発明の第二実施例におけるレリースワイヤ、一部を切り欠きした操作スイッチ、スラストロック部材、リング状部材を示す斜視図である。
【図１０】従来の遠隔操作式排水栓装置を示す、スラストロック部材以外を切り欠きした断面図である。
【図１１】動作異常を生じた従来例の、スラストロック部材周辺を示す断面図である。
【図１２】軸部が突出した状態におけるスラストロック部材を示す斜視図である。
【図１３】軸部が後退した状態におけるスラストロック部材を示す斜視図である。
【符号の説明】
１      弁体                      ２      レリースワイヤ
２ａ    アウターチューブ          ２ｂ    インナーワイヤ
３      通気部                    ３ａ    凹凸部
４      固定部材                  ５      封印シール
６      弁部                      ７      弁軸
８      排水栓                    ９      排水口
１０    フランジ部                １１    スラストロック部材
１１ａ  軸部                      １２    ロッド部
１３    戻りスプリング            １４    蛇腹状パッキン
１５    操作スイッチ              １６    排水エルボ
１７    板ナット                  Ｄ      三角パッキン
Ｐ      リング状パッキン
【図１】
0004686673.tif 000002
【図２】
0004686673.tif 000003
【図３】
0004686673.tif 000004
【図４】
0004686673.tif 000005
【図５】
0004686673.tif 000006
【図６】
0004686673.tif 000007
【図７】
0004686673.tif 000008
【図８】
0004686673.tif 000009
【図９】
0004686673.tif 000010
【図１０】
0004686673.tif 000011
【図１１】
0004686673.tif 000012
【図１２】
0004686673.tif 000013
【図１３】
0004686673.tif 000014